(57)【特許請求の範囲】
【請求項１】
連続搬送されたフィルムから、前記フィルムの搬送方向に沿って切断されたフィルム端部を、風送配管を通過し、風により搬送する搬送工程と、
前記フィルム端部の搬送方向に対して、前記風送配管の下流側に裁断部を有し、前記裁断部は、固定刃と回転刃からなるロータリーカッターを備え、前記フィルム端部をロータリーカッターで裁断する裁断工程と、を有し、
前記風送配管は、搬送される前記フィルム端部を挟んで、前記固定刃の反対側に吸引口を有し、
前記搬送工程は、前記フィルム端部の搬送方向に対して、前記裁断部の下流側に設けられた排気側から吸引することで、前記フィルム端部を搬送するとともに、前記吸引口から、前記風送配管内、及び、前記裁断部内に、空気を吸引し、前記フィルム端部を前記固定刃に押し付ける方向に風を生じさせるフィルム端部裁断方法。
【請求項２】
前記フィルムの膜厚が８μｍ以上である請求項１に記載のフィルム端部裁断方法。
【請求項３】
前記吸引口に開閉可能なシャッターを備える請求項１または２に記載のフィルム端部裁断方法。
【請求項４】
前記裁断工程において、前記固定刃に対する前記フィルム端部の傾きが０°以上２５°以下の範囲である請求項３に記載のフィルム端部裁断方法。
【請求項５】
前記風送配管は、前記フィルム端部が鉛直方向下向きに搬送されるように設けられており、
前記吸引口は、前記フィルム端部の搬送方向に対して、前記風送配管の下流側であり、前記吸引口の最下部が、前記ロータリーカッターの直前に設けられている請求項１から４のいずれか１項に記載のフィルム端部裁断方法。
【請求項６】
フィルムを製造する製造工程と、
前記フィルムの搬送方向に沿って、前記フィルムの幅方向端部を切断するフィルム切断工程と、
前記フィルムの端部を請求項１から５のいずれか１項に記載のフィルム端部裁断方法により裁断する端部裁断工程と、を有する光学フィルムの製造方法。
【請求項７】
連続搬送されたフィルムから、前記フィルムの搬送方向に沿って切断されたフィルム端部を風により送風する送風手段と、
前記フィルム端部を裁断する固定刃と回転刃からなるロータリーカッターを有する裁断部と、
前記フィルム端部の搬送方向に対して、前記裁断部の上流側に設けられ、前記フィルム端部を前記裁断部に搬送する風送配管と、を備え、
前記風送配管は、搬送される前記フィルム端部を挟んで、前記固定刃の反対側に前記風送配管内、及び、前記裁断部内に、空気を吸引する吸引口を有し、
前記送風手段は、前記フィルム端部の搬送方向に対して、前記裁断部の下流側の排気側から吸引する手段であるフィルム端部裁断装置。
【請求項８】
前記吸引口は、前記風送配管の前記裁断部との接続位置に設けられており、
前記ロータリーカッターは、前記風送配管から前記フィルム端部が搬送される前記裁断部の入口に設けられている請求項７に記載のフィルム端部裁断装置。
【発明の詳細な説明】
【技術分野】
【０００１】
本発明は、フィルム端部裁断方法、フィルム端部裁断装置、および、光学フィルムの製造方法に係り、特に、切断したフィルムの端部を短冊状の耳屑にするフィルム端部裁断方法、フィルム端部裁断装置、および光学フィルムの製造方法に関する。
【背景技術】
【０００２】
薄膜の透明プラスチックフィルムは、近年、液晶ディスプレイの偏光板の保護膜、位相差板などの光学補償フィルムなどの光学材料として常用が増大している。これらのフィルムの原料は、セルロースエステル、ノルボルネン樹脂、アクリル樹脂、ポリアリレート樹脂、ポリカーボネート樹脂などが挙げられるが、生産性や材料価格などの点からセルロースエステルが主に使用されている。特に、セルローストリアセテート（ＴＡＣ）のフィルムは、極めて高い透明性を有し、かつ、光学異方性が小さく、かつレターデーションが低いことから光学用途に特に有利に用いられている。
【０００３】
これらのフィルムを製膜する方法としては、溶液製膜法、溶融製膜法および圧延法など各種の製膜技術が利用可能である。このようなフィルムの製造においては、フィルムの端部は乾燥時の乾燥むら、あるいは、流延時のネックインにより厚みが大きく変動しやすいために、フィルムの端部にカールや弛みが発生する。この結果、搬送時にフィルムの端部からシワが発生して安定したフィルムの製造ができなくなる。この対策として、通常はフィルムの製造から巻き取りまでの途中に、フィルムの端部をフィルムの搬送方向に切断して除去する切断装置が設けられる。これにより、製品としてのフィルムの幅が正確に管理・維持される。
【０００４】
この切断装置は、丸刃を備えたシェア刃を備えており、フィルムの送り中にフィルムの側縁からフィルムの中央へ向けてシェア刃を移動させてフィルムに切り込み、フィルムの端部を切断する。切断したフィルムの端部は風送装置で回収部へ送られて、回収され、原料として再利用される。
【０００５】
切断したフィルムの端部を裁断、回収する方法として、例えば、下記の特許文献１には、切断したフィルムの端部を短冊状に裁断し、サイロに風送する方法が記載されている。特許文献２には、切断されたフィルムの端部を吸込み口より回収するに際し、フィルム搬送方向の上流側および下流側から吸い込み口開口部に向けて、搬送風供給速度がフィルム搬送速度に対して１〜６０倍で、上流／下流の速度比が１未満である搬送風を供給するフィルムの製造方法が記載されている。
【０００６】
また、特許文献３には、切断された端部フィルムを配管内に挿入し、風送によって搬送する工程において、風送に使用される配管内の風速が上流から下流にかけて速くなる（風通過面積が上流＞下流のテーパ形状とする）光学フィルムの製造方法が記載されている。
【先行技術文献】
【特許文献】
【０００７】
【特許文献１】特開２００３-２９１０９１号公報
【特許文献２】特開２０１０−４６９３２号公報
【特許文献３】特許第５５２２１６４号公報
【発明の概要】
【発明が解決しようとする課題】
【０００８】
近年、携帯電話やノートパソコン用として、膜厚の薄いフィルムが求められている。フィルムの膜厚が薄くなることにより、切断されたフィルムの端部の搬送が円滑に行われない、裁断装置（ロータリーカッター）の刃の隙間に切断されたフィルムの端部が入りやすくなり、フィルムの端部が裁断されないという問題があった。特に、切断されたフィルムの端部は、最初の裁断装置までは、製品となるフィルムとつながっているため、裁断装置での裁断が円滑に行われない場合、切断されたフィルム端部に張力が発生し、製品となるフィルムにまで、影響を及ぼしていた。
【０００９】
特許文献１に記載されている耳屑風送装置は、耳部を切断してから耳部を短冊状に裁断するまでについての構造は特に記載されておらず、この風送路で、耳部が壁面と接触することで、耳部が破断し、風送路が詰まるという課題があった。引用文献２については、搬送風を供給することで、搬送風により切断されたフィルム端部が吸い込み口に接触しフィルム端部が破断し、吸い込み口直前の搬送ローラにフィルム端部が巻き付くという課題があった。また、特許文献３については、風送配管形状をテーパ形状とすることで、大きなスペースが必要であり、また、風送配管の形状を変更しているため、１つの条件しか作ることができず、複数の品種のフィルムへの対応性、汎用性がなかった。
【００１０】
本発明はこのような事情に鑑みてなされたものであり、製品となるフィルムから切断されたフィルム端部を円滑に搬送し、フィルム端部の裁断による衝撃を抑えることができるフィルム端部裁断方法、フィルム端部裁断装置、および、光学フィルムの製造方法を提供することを目的とする。
【課題を解決するための手段】
【００１１】
本発明は前記目的を達成するために、連続搬送されたフィルムから、フィルムの搬送方向に沿って切断されたフィルム端部を、風送配管を通過し、風により搬送する搬送工程と、フィルム端部を、固定刃と回転刃からなるロータリーカッターで裁断する裁断工程と、を有し、風送配管は空気の吸引口を有し、フィルム端部を固定刃に押し付ける方向に風を生じさせるフィルム端部裁断方法を提供する。
【００１２】
本発明によれば、風送配管に空気の吸引口を有し、フィルム端部を風送配管内を通過し搬送する搬送工程において、この吸引口から空気を吸引することで、切断されたフィルム端部を固定刃に押し付けることができる。したがって、ロータリーカッターでフィルム端部を裁断する際に、フィルム端部に対して、回転刃を所望の角度で当てることができ、安定してフィルム端部の裁断を行うことができる。また、安定してフィルム端部の裁断を行うことで、フィルム端部を裁断する際の衝撃を、製品となるフィルムに伝播することを抑えることができるので、製品故障の発生を防止することができる。
【００１３】
本発明の別の態様においては、風による搬送は、排気側から吸引することにより行うことが好ましい。
【００１４】
この態様によれば、フィルム端部の搬送を、排気側から吸引することにより行うことで、吸引口から風を吸込み、フィルム端部に向かって風を吹き付けることができる。したがって、フィルム端部を固定刃に押し付けることができる。
【００１５】
本発明の別の態様においては、フィルムの膜厚が８μｍ以上であることが好ましい。
【００１６】
この態様は、裁断されるフィルムの膜厚を規定したものであり、本発明のフィルム端部裁断方法によれば、フィルム端部を固定刃に押し付けることができ、回転刃をフィルム端部に対して所定の角度を有して接触させることができる。したがって、膜厚の薄いフィルムに対しても安定して裁断することができる。
【００１７】
本発明の別の態様においては、裁断工程において、固定刃に対するフィルム端部の傾きが０°以上２５°以下の範囲であることが好ましい。
【００１８】
この態様によれば、固定刃に対するフィルム端部の傾きを上記範囲とすることにより、回転刃と接触することで、フィルム端部を安定して裁断することができる。
【００１９】
本発明の別の態様においては、吸引口に開閉可能なシャッターを備えることが好ましい。
【００２０】
この態様によれば、吸引口にシャッターを備えることにより、シャッターを開閉することで、フィルム端部を固定刃に押し付ける力を調整することができる。
【００２１】
本発明の別の態様においては、風送配管は、フィルム端部が鉛直方向下向きに搬送されるように設けられており、吸引口は、フィルム端部の搬送方向に対して、風送配管の下流側であり、吸引口の最下部が、ロータリーカッターの直前に設けられていることが好ましい。
【００２２】
この態様によれば、フィルム端部の搬送方向に対して、風送配管の下流側で、ロータリーカッターの直前に吸引口を設けることで、吸引口と固定刃の距離を短くすることができ、吸引口から取り込んだ空気でフィルム端部を固定刃に押し付けることができる。
【００２３】
本発明は前記目的を達成するために、フィルムを製造する製造工程と、フィルムの搬送方向に沿って、フィルムの幅方向端部を切断するフィルム切断工程と、フィルムの端部を請求項１から６のいずれか１項に記載のフィルム端部裁断方法により裁断する端部裁断工程と、を有する光学フィルムの製造方法を提供する。
【００２４】
本発明によれば、フィルム端部を安定して裁断でき、裁断衝撃を小さくすることができるので、フィルム端部を裁断する際に、製品となるフィルムに影響を与えることなく、光学フィルムの製造をすることができ、良好な光学フィルムを製造することができる。
【００２５】
本発明は前記目的を達成するために、連続搬送されたフィルムから、フィルムの搬送方向に沿って切断されたフィルム端部を風により送風する送風手段と、フィルム端部を裁断する固定刃と回転刃からなるロータリーカッターを有する裁断部と、フィルム端部を裁断部に搬送する風送配管と、を備え、風送配管は、搬送されるフィルム端部を挟んで、固定刃の反対側に空気の吸引口を有するフィルム端部裁断装置を提供する。
【００２６】
本発明によれば、風送配管に、搬送されるフィルム端部を挟んで固定刃の反対側に空気の吸引口を有するため、この吸引口から空気を吸引することで、切断されたフィルム端部を固定刃に押し付けることができる。したがって、ロータリーカッターでフィルム端部を裁断する際に、フィルム端部に対して、回転刃を所望の角度で当てることができ、安定してフィルム端部の裁断を行うことができる。また、安定してフィルム端部の裁断を行うことで、フィルム端部を裁断する際の衝撃を、製品となるフィルムに伝播することを抑えることができるので、製品故障の発生を防止することができる。
【００２７】
本発明の別の態様においては、送風手段は、排気側から吸引する手段であることが好ましい。
【００２８】
この態様によれば、フィルム端部を送風する送風手段を排気側から吸引する吸引手段とすることで、吸引口から風を吸い込み、フィルム端部に向かって風を吹き付けることができる。吸引口のフィルム端部に対して反対側には、固定刃が設けられているので、フィルム端部を固定刃に押し付けることができる。
【００２９】
本発明の別の態様においては、吸引口は、風送配管の裁断部との接続位置に設けられており、ロータリーカッターは、風送配管からフィルム端部が搬送される裁断部の入口に設けられていることが好ましい。
【００３０】
この態様によれば、吸引口を風送配管の裁断部との接続位置に設け、ロータリーカッターを裁断部の入口に設けることで、吸引口とロータリーカッターの固定刃の距離を短くすることができ、吸引口から取り込んだ空気により、フィルム端部を固定刃に押し付けやすくすることができる。
【発明の効果】
【００３１】
本発明のフィルム端部裁断方法、フィルム端部裁断装置、および、光学フィルムの製造方法によれば、ロータリーカッターの固定刃に、裁断するフィルム端部を押し付ける方向に風の取り入れ口を設けることで、ロータリーカッターで裁断することができ、フィルム端部を裁断することの衝撃を、製品となるフィルムに伝播する衝撃を最小化することができる。
【図面の簡単な説明】
【００３２】
【図１】フィルム端部裁断装置を備える光学フィルムの製造装置の概略図である。
【図２】フィルム端部裁断装置の透視図である。
【図３】吸引口の効果を説明する図である。
【発明を実施するための形態】
【００３３】
以下、添付図面に従って、本発明に係るフィルム端部裁断方法、フィルム端部裁断装置、および、光学フィルムの製造方法について説明する。なお、本明細書において、「〜」とは、その前後に記載される数値を下限値および上限値として含む意味で使用される。
【００３４】
［光学フィルムの製造装置］
図１は、本発明のフィルム端部裁断装置を備える光学フィルムの製造装置の一部を示す概略図である。図１に示すように、製膜機、テンタ、乾燥機からなる製膜ライン１１から連続搬送されるフィルム１２は、切断装置１３を経て、フィルム巻取り装置１４によりロール状に巻き取られる。切断装置１３は、上丸刃１５ａおよび下丸刃１５ｂからなるカッター１５を備えており、このカッター１５でフィルム１２の端部を切り離す。なお、図１においては、切断装置１３を上丸刃１５ａおよび下丸刃１５ｂからなるカッターを備える構成として記載したが、これに限定されず、一方を丸刃、他方を溝とした丸刃を備えたシェア刃を有するカッターとすることもできる。フィルム端部１２ａが切り離されたフィルム１２は、フィルム巻取り装置１４によりロール状に巻き取られる。フィルム１２から切断装置１３で切断されたフィルム端部１２ａは、フィルム端部裁断装置３０で短冊状に裁断され、さらに、不図示のクラッシャで小さく粉砕され耳屑片となり、再利用が図られる。
【００３５】
切断装置１３とフィルム端部裁断装置３０との間には、ガイドローラ４１、４２が配置されており、フィルム端部１２ａは、ガイドローラ４１、４２でガイドされてフィルム端部裁断装置３０に搬送される。フィルム端部裁断装置３０は、排気側に設けられたカットブロワ４３により吸引圧送されることで、フィルム端部１２ａを搬送する。
【００３６】
［フィルム端部裁断装置］
図２は、フィルム端部裁断装置３０の透視図である。フィルム端部裁断装置３０は、ガイドローラ４１、４２により搬送されたフィルム端部１２ａを風により搬送する配管となる風送配管３１と、風送配管３１を通り搬送されたフィルム端部１２ａを裁断する固定刃３２ａと回転刃３２ｂとからなるロータリーカッター３２を有する裁断部３３と、裁断部３３の排気側から吸引することで風により送風する送風手段となるカットブロワ４３からなる。
【００３７】
ガイドローラ４１、４２でガイドされて搬送されたフィルム端部１２ａは、風送配管３１を通り、裁断部３３に搬送される。裁断部３３は、固定刃３２ａおよび回転刃３２ｂを有しており、回転刃３２ｂが回転することにより、固定刃３２ａとの間でフィルム端部１２ａを短冊状に裁断し、短冊状フィルム端部１２ｂとする。
【００３８】
短冊状フィルム端部１２ｂは、カットブロワ４３に送られ、更に小さく切断してフィルム端部片とされる。カットブロワ４３で、切断されたフィルム端部片は、不図示の回収部に搬送される。回収部では、サイクロンから構成されるセパレータで、フィルム端部片と空気とに分離される。分離されたフィルム端部片はクラッシャに送られて粉砕される。また、分離された空気は、フィルム端部１２ａの風送に利用される。クラッシャで粉砕されたフィルム端部破砕品は、サイロに風送され、サイロに貯留されたフィルム端部破砕品は、製膜原料として再利用される。
【００３９】
風送配管３１は、図２に示すように、空気の吸引口３４を有する。空気の吸引口３４は、裁断部３３に設けられた固定刃３２ａに対して、フィルム端部１２ａを挟んで反対側の位置に有する。フィルム端部１２ａは、カットブロワ４３により吸引搬送されている。したがって、吸引口３４を設けることで、吸引口３４から空気を取り込むことができる。また、吸引口３４を、固定刃３２ａに対してフィルム端部１２ａの反対側に設けることで、吸引口３４から取込んだ空気により、固定刃３２ａにフィルム端部１２ａを押し付けることができる。フィルム端部１２ａを固定刃３２ａに押し付けることで、回転刃３２ｂによるフィルム端部１２ａの裁断を安定して行うことができる。
【００４０】
固定刃３２ａに対する搬送されるフィルム端部１２ａの傾きは、理想的には０°であり、上限は２５°以下とすることが好ましく、より好ましくは１０°以下である。固定刃３２ａとフィルム端部１２ａとの傾きを上記範囲とすることで、回転刃３２ｂによる回転で、フィルム端部１２ａが固定刃３２ａに押し付けることができ、フィルム端部１２ａの裁断を安定して行うことができる。なお、「固定刃３２ａに対する搬送されるフィルム端部１２ａの傾き」とは、固定刃３２ａのフィルム端部側の固定刃先の直線に対するフィルム端部１２ａの角度のことをいう。
【００４１】
図３は、吸引口３４の効果を説明する図である。実線で示すフィルム端部１２ａが、吸引口３４から空気を取り込むことにより、固定刃３２ａにフィルム端部１２ａを押し付けることができ、回転刃３２ｂにより効果的にフィルム端部を裁断することができる。２点鎖線で示すフィルム端部１２ａは、空気を取り込まない場合の搬送状態を示す。吸引口を設けず、空気を取り込まない場合は、フィルム端部１２ａの搬送において、フィルム端部１２ａがバタつき、固定刃３２ａと回転刃３２ｂの間に搬送されるフィルム端部１２ａの位置が安定しない。吸引口を設けず、フィルム端部の搬送を行うと、固定刃３２ａとフィルム端部１２ａとの角度が、３０〜６０°の範囲で安定せず、角度によっては、フィルム端部１２ａが裁断できず、フィルム端部１２ａに力が加わることで、製品となるフィルムにシワなどの故障が発生する場合がある。吸引口３４を設けることで、安定してフィルム端部１２ａの裁断を行うことができる。
【００４２】
また、本実施形態においては、カットブロワ４３により裁断部３３の排気側から吸引することで、吸引口３４から空気を取り込み、フィルム端部１２ａを固定刃３２ａに押し付けている。これにより、フィルム端部１２ａの裁断を安定して行うことができる。吸引口３４に空気を押し込む、または、吹き込む構成とすると、風送配管３１のフィルム端部１２ａの入口側へ空気の逆流が生じる場合があり、フィルム端部１２ａの搬送が不安定になることがある。フィルム端部１２ａの搬送が不安定になると、固定刃３２ａとフィルム端部１２ａとの角度が大きくなり、裁断不良が発生し好ましくない。
【００４３】
吸引口３４を設ける位置は、風送配管３１のフィルム端部１２ａの搬送方向の下流側、すなわち、裁断部３３側に設けることが好ましい。吸引口３４を、フィルム端部１２ａの搬送方向の下流側に設けることで、固定刃３２ａにフィルム端部１２ａを押し付け易くすることができる。特に、図２、３に示すように、風送配管３１を鉛直方向に形成し、吸引口３４を裁断部３３と風送配管３１との接合位置に設け、ロータリーカッター３２を裁断部３３の入口に設けることで、吸引口３４の最下部をロータリーカッター３２の直前に設けることができる。吸引口３４をロータリーカッター３２の直前に設けることで、吸引口３２から取り込んだ空気によりフィルム端部１２ａを固定刃３２ａに押し付け易くすることができる。吸引口３４から裁断部３３までの距離が長いと、吸引口３４から裁断部３３までの間に、フィルム端部１２ａがバタつき、安定して裁断されない場合がある。なお、「吸引口の最下部がロータリーカッターの直前に設けられている」とは、吸引口の最下部とロータリーカッター（裁断点）との距離がフィルム端部の搬送方向において２００ｍｍ以下の距離のことをいう。
【００４４】
また、吸引口３４には、開閉可能なシャッター３５を設けることが好ましい。シャッター３５を設けることで、風送配管３１内に入り込む空気の量を調整することができ、フィルム端部１２ａを適切な風量で押し付けることができる。
【００４５】
本発明においては、固定刃３２ａにフィルム端部１２ａを押し付けるように空気を吸い込み、回転刃３２ｂで裁断しているため、搬送されるフィルム端部１２ａが、固定刃３２ａと回転刃３２ｂとの間に入ることを防止することができる。したがって、膜厚の薄いフィルムに対しても、安定して裁断を行うことができる。フィルムの膜厚としては、特に限定されないが、８μｍ以上の膜厚のフィルムに対して行うことができる。膜厚の上限は、特に限定されないが、４０μｍ以下のフィルムに対して、特に効果的に用いることができる。
【００４６】
［光学フィルムの製造方法、フィルム端部裁断方法］
次に上記光学フィルムの製造装置、および、フィルム端部裁断装置を用いた光学フィルムの製造方法、および、フィルム端部裁断方法について説明する。
【００４７】
≪製造工程≫
製造工程は、図１に示す、製膜ライン１１により、フィルム１２を製造する工程である。製膜ライン１１は、製膜機、テンタ、乾燥機からなり、公知の方法により、フィルムの製膜を行うことができる。
【００４８】
≪フィルム切断工程≫
フィルム切断工程は、製造工程により製造され、連続搬送されるフィルム１２の幅方向端部を、フィルムの搬送方向に沿って切断装置１３により切断する工程である。製造工程により製膜されたフィルムの端部を切断することで、厚みムラ、シワの発生しやすいフィルム端部を切断することができ、製品としてのフィルムの幅を管理することができる。
【００４９】
≪端部裁断工程（フィルム端部裁断方法）≫
＜搬送工程＞
フィルム切断工程により切断されたフィルム端部は、風送配管３１を通過し、裁断部まで搬送される。風送配管３１には、空気の吸引口３４を備え、吸引口３４から空気を取り込むことで、フィルム端部１２ａを吸引口３４が設けられた位置と反対側に押し付ける。本発明においては、吸引口３４を裁断部３３に設けられた固定刃３２ａとフィルム端部１２ａと反対側に設けているので、フィルム端部１２ａを固定刃３２ａに押し付けることができる。
【００５０】
＜裁断工程＞
裁断工程は、フィルム端部１２ａをロータリーカッター３２の固定刃３２ａ、回転刃３２ｂにより切裁断する工程である。搬送工程により、フィルム端部１２ａは、固定刃３２ａに押し付けられて搬送されているため、回転刃３２ｂにより、安定してフィルム端部１２ａの裁断を行うことができる。フィルム端部１２ａの裁断を安定して行うことで、製品となるフィルムにシワなどの故障の発生を防止することができる。また、フィルム端部が千切れることを防止することができるので、フィルム端部の搬送を安定して行うことができ、フィルム端部の搬送不良により、フィルムの製造を止めることなく、連続的にフィルムの製造を行うことができる。
【実施例】
【００５１】
以下に実施例を挙げ、本発明をより詳細に説明する。
【００５２】
フィルム端部裁断装置は、図２に示すような配置で、ロータリーカッターの固定刃にフィルム端部を押し付ける方向（表１において「固定刃」と記載）に空気を取り入れる位置に吸引口およびシャッターを配置した。また、比較例として、固定刃からフィルム端部を離す方向（風送配管の固定刃側の位置、表１において「反固定刃」と記載）に吸引口およびシャッターを設置した。また、吸引口を設けない場合（表１において「吸引口無し」と記載）についても行った。
【００５３】
ロータリーカッターの刃物のクリアランスは変えずに、厚さの異なるフィルムを用いて裁断を行った。評価は、連続して投入されるフィルム端部の裁断可否、フィルム端部が引き千切られる程の裁断衝撃が無いかを評価した。
【００５４】
裁断可否については、以下の基準で評価を行った。
Ａ・・・フィルム端部を連続して裁断することができ、裁断された短冊状フィルム端部が連続して排出される。
Ｂ・・・フィルム端部が連続して裁断されない。
【００５５】
また、裁断衝撃については、以下の基準で評価を行った。
Ａ・・・テンション変動がない。
Ｂ・・・フィルム端部を裁断する際、フィルム端部が引っ張られる、または、フィルム端部が引き千切られるほど変動する。
【００５６】
評価は、フィルムの厚みに関わらず、裁断可否、および、裁断衝撃の両方が「Ａ」のものを評価「Ａ」とし、裁断可否、および、裁断衝撃のいずれかにおいて、「Ｂ」の評価があるものを「Ｂ」とした。吸引口の方向が、固定刃にフィルム端部を押し付ける方向に配置されている例が本発明の実施例である。結果を表１に示す。
【００５７】
【表１】
0006322591.tif 000002
【００５８】
表１に示すように、吸引口の位置を、風送配管の固定刃側に設け、フィルム端部を固定刃と反対側に押し付けるように裁断した場合、図３の二点鎖線で示すように、固定刃と搬送されるフィルム端部との角度が大きくなり、フィルム端部が裁断できていなかった。特に、フィルムの膜厚が薄くなると、固定刃と回転刃のクリアランスに入りやすくなり、ロータリーカッターで裁断できなかった。また、固定刃と回転刃のクリアランスに入りやすいことで、安定して裁断を行うことができず、裁断衝撃も大きかった。
【００５９】
吸引口を設けない場合についても、フィルムがバタつき、フィルム端部を安定した状態で裁断部に搬送することができず、フィルムの膜厚が薄い場合は、安定して裁断を行うことができず、裁断衝撃も大きかった。
【００６０】
フィルム端部を固定刃に押し付けるように吸引口を設けた実施例は、膜厚の薄いフィルムに対しても、安定して裁断処理が可能であり、裁断衝撃も見られなかった。
【符号の説明】
【００６１】
１１…製膜ライン、１２…フィルム、１２ａ…フィルム端部、１２ｂ…短冊状フィルム端部、１３…切断装置、１４…フィルム巻取り装置、１５…カッター、３０…フィルム端部裁断装置、３１…風送配管、３２…ロータリーカッター、３２ａ…固定刃、３２ｂ…回転刃、３３…裁断部、３４…吸引口、３５…シャッター、４３…カットブロワ
【図１】
0006322591.tif 000003
【図２】
0006322591.tif 000004
【図３】
0006322591.tif 000005